(57)【要約】      （修正有）【課題】運動軌跡の調整が可能となる楕円形の訓練用具を提供する。【解決手段】骨組み１０、２つのペダル１６、抵抗装置１３、２つのクランク１４、及び２つの調整構造１７を備える。２つのクランクは抵抗装置の両側にそれぞれ位置する。各ペダルは対応するクランクにより抵抗装置の軸１３０にそれぞれ連接され、クランクは軸の周りを回転し、ペダルは閉鎖された軌跡で運動を行う。２つの調整構造は２つのクランクにそれぞれ連接され、各クランクは凹部を備え、調整裝置は駆動部を含む。駆動部の一部分は支持棒１５の先端部１５０を軸支し、凹部内に位置されると共に凹部内で移動し、クランクの有効な長さを調整し、ペダルの運動軌跡を改変させる。【選択図】図１
0003198174.tif 000002
【実用新案登録請求の範囲】
【請求項１】
骨組みと、
使用者の両足に踏ませるための２つのペダルと、
前記骨組みの両側にそれぞれ位置される２つのスイングアームと、
各前記スイングアームがそれらに枢接される枢転部を有し、各前記スイングアームの一端には使用者に把持させるための把持部を有し、且つ各前記スイングアームの他端はそれらに対応する一端に連接され、それらに対応する他端は対応する前記ペダルに連接される２本の連接棒と、
抵抗力を操作するための軸を有する抵抗装置と、
前記抵抗装置の両側にそれぞれ位置され、一端が前記軸に連接され、他端が支持棒に連接され、前記支持棒が対応する前記ペダルに連接され、前記支持棒の他端は前記骨組みのレール上で往復運動を行うスライド部を有する２つのクランクと、
前記２つのクランクにそれぞれ連接され、且つモーター、スクリュー、及び駆動部を各々具備し、前記モーターにより前記スクリューが駆動されて回転し、前記駆動部は前記スクリューに噛合される内ねじ山を有し、前記駆動部の一部分は前記クランクの凹部に設置され、前記の部分は前記支持棒の一端に枢接され、前記モーターにより前記駆動部が駆動されて前記凹部内で移動する２つの調整構造とを備えることを特徴とする、
楕円形の訓練用具。
【請求項２】
前記抵抗装置の両側にそれぞれ位置されるか、或いは前記抵抗装置の同側に位置されると共に前記抵抗装置の前記軸に同軸に連接され、且つ前記モーターにそれぞれ電気的に接続され、第一極性リング及び第二極性リングを各々具備する２つの導電性リングを更に備えることを特徴とする、請求項１記載の楕円形の訓練用具。
【請求項３】
骨組みは台座、本体、及び直立管を備え、前記台座は支持面或いは地面に位置され、前記本体は前記台座の上方に位置され、前記直立管は前記本体の上方に位置されることを特徴とする、請求項１記載の楕円形の訓練用具。
【考案の詳細な説明】
【技術分野】
【０００１】
本考案は、経路の調整が可能となる楕円形の訓練用具に関する。
【背景技術】
【０００２】
楕円形の訓練用具（ｅｌｌｉｐｔｉｃａｌｓ）はクロストレーナー（ｃｒｏｓｓ−ｔｒａｉｎｅｒ、  Ｘ−ｔｒａｉｎｅｒ）（登録商標）とも呼ばれ、階段の上り下り、歩行、ランニング等の運動の模擬訓練を行うために使用される。
【０００３】
なお、楕円形の訓練用具はランニングマシン及び自転車の長所が結合され、立った姿勢で全身の運動を行える。両足を同時に楕円形の訓練用具に固定させ、左右の足が受力する時間を半々にすることでひざ関節への負担を減少させ、怪我をする危険性を低下させる。また、楕円形の訓練用具は通常、使用者に踏ませるためのペダルを有する。
従来の楕円形の訓練用具によるペダルは、その運動軌跡が多くの場合は固定されているため、楕円形の訓練用具の使用法の変化に乏しかった。例えば、特許文献１はペダルの運動軌跡が改変された楕円形の訓練用具の上昇装置である。
【先行技術文献】
【特許文献】
【０００４】
【特許文献１】台湾特許出願公開第Ｍ４０３３５５号明細書
【考案の概要】
【考案が解決しようとする課題】
【０００５】
しかしながら、前述した従来の訓練用具では、運動軌跡（行程）の間隔、即ち、運動時の使用者の両足の距離（ｐａｃｅ  ｌｅｎｇｔｈ）が固定されている。身長には差異があるため、行程の間隔が固定されると全ての使用者に適合させることが出来なくなり、訓練の効果が低下した。
【０００６】
そこで、本考案者は上記の欠点が改善可能と考え、鋭意検討を重ねた結果、合理的設計で上記の課題を効果的に改善する本考案の提案に到った。
【０００７】
本考案は、このような従来の問題に鑑みてなされたものであり、その目的とするところは、楕円形の訓練用具を提供することを主目的とする。
【課題を解決するための手段】
【０００８】
上述した課題を解決し、上記目的を達成するための本考案の楕円形の訓練用具は、骨組みと、使用者の両足に踏ませるための２つのペダルと、前記骨組みの両側にそれぞれ位置される２つのスイングアームと、各前記スイングアームがそれらに枢接される枢転部を有し、各前記スイングアームの一端には使用者に把持させるための把持部を有し、且つ各前記スイングアームの他端はそれらに対応する一端に連接され、それらに対応する他端は対応する前記ペダルに連接される２本の連接棒と、抵抗力を操作するための軸を有する抵抗装置と、前記抵抗装置の両側にそれぞれ位置され、一端が前記軸に連接され、他端が支持棒に連接され、前記支持棒が対応する前記ペダルに連接され、前記支持棒の他端は前記骨組みのレール上で往復運動を行うスライド部を有する２つのクランクと、前記２つのクランクにそれぞれ連接され、且つモーター、スクリュー、及び駆動部を各々具備し、前記モーターにより前記スクリューが駆動されて回転し、前記駆動部は前記スクリューに噛合される内ねじ山を有し、前記駆動部の一部分は前記クランクの凹部に設置され、前記の部分は前記支持棒の一端に枢接され、前記モーターにより前記駆動部が駆動されて前記凹部内で移動する２つの調整構造とを備えることを特徴とする。
【０００９】
また、上記目的を達成するため、本考案に係る楕円形の訓練用具は、骨組み、２つのペダル、２つのスイングアーム、２本の連接棒、抵抗装置、２つのクランク、及び２つの調整構造を備える。前記２つのペダルは使用者が両足で踏むために使用される。前記２つのスイングアームは前記骨組みの両側にそれぞれ位置される。各前記スイングアームは前記骨組みに枢接される枢転部を有し、各前記スイングアームの一端には使用者に把持させるための把持部を有し、各前記スイングアームの他端は前記連接棒に対応する一端に連接され、前記連接棒に対応する他端は対応する前記ペダルに連接される。前記抵抗装置は抵抗を操作するための軸を有する。前記２つのクランクは前記抵抗装置の両側にそれぞれ位置され、各前記クランクの一端は前記軸に連接され、各前記クランクの他端は支持棒に連接され、前記支持棒は対応する前記ペダルに連接され、前記支持棒の他端には前記骨組みのレール上で往復運動を行うスライド部を有する。前記２つの調整構造は前記２つのクランクにそれぞれ連接され、各前記クランクは凹部を含み、前記調整構造は駆動部を備え、前記駆動部の一部分は前記凹部内に位置され、前記一部分は前記支持棒の一端に枢接されると共に前記凹部内で移動し、前記クランクの有効な長さを改変させる。
【考案の効果】
【００１０】
本考案によれば、経路の調整が可能となる楕円形の訓練用具が得られる。
【図面の簡単な説明】
【００１１】
【図１】本考案の第１実施形態による楕円形の訓練用具を示す外観斜視図である。
【図２】本考案の楕円形の訓練用具の調整構造を示す部分の拡大図である。
【図３】本考案の楕円形の訓練用具の調整構造を示す部分の拡大図である。
【図４】本考案の楕円形の訓練用具の調整構造を示す部分の拡大図である。
【図５】本考案の楕円形の訓練用具の導電リングを示す部分の拡大図である。
【図６】本考案の楕円形の訓練用具の導電リングを示す部分の拡大図である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。なお、いつくかの実施形態において、同じないしは相似する部材の符号は同じ、相似する、ないしは類似する部材及び／或いは素子を示すが、但しいくつかの実施形態においては、異なる部材を示す。
いくつかの実施形態では、方向を示す名詞の上、下、左、右、上向き、下向き、超過、上方、下方、後面、前面等は字義通り解釈するが、但し他の実施形態では字義通りに解釈しない。また、本考案の部材を分かりやすく表示するため、図中では一部の部材を省略する。明細書において、読者に本考案の理解を促すために、特定の部分を仔細に亘って図示する。然しながら、本考案ではこれらの特定の細部を一部或いは全部省略しても実施可能である。
【００１３】
＜第１実施形態＞
以下、本考案の実施形態について、図面を参照しながら説明する。図１に示す本考案の好適な実施形態の楕円形の訓練用具１は、骨組み１０、２つのスイングアーム１１、２本の連接棒１２、抵抗装置１３、２つのクランク１４、２本の支持棒１５、及び２つのペダル１６を主に備える。
【００１４】
この好ましい実施態様において、骨組み１０は、台座１０１、本体１０２、及び直立管１０３を備えるが、但しこれに限定されるものではない（図１参照）。台座１０１は支持面或いは地面に位置され、本体１０２は台座１０１の上方に位置され、直立管１０３は本体の上方に位置される。直立管１０３の一端は本体１０２に連接され、他端には使用者に操作させるための操作インターフェース（図示せず）を有するが、これは例示に過ぎず、これに制限させるものではない。
【００１５】
上述の２つのスイングアーム１１及び２本の連接棒１２は骨組み１０の両側にそれぞれ位置され（図１参照）、例えば、本体１０２の両側に位置される。各スイングアーム１１は骨組み１０に枢接される枢転部１１０を有し、例えば、骨組み１０の本体１０２に枢接され、こうして、スイングアーム１１が枢転部１１０の前後を擺動する。また、各スイングアーム１１の一端には使用者に把持させるための把持部１１２を有し、他端は連接棒１２に対応する一端に連接され、前記連接棒１２に対応する他端は対応するペダル１６に連接される。
【００１６】
抵抗装置１３は本体１０２に架設されると共に抵抗の操作に用いられる（図２参照）。２つのクランク１４は抵抗装置１３の両側にそれぞれ位置される。抵抗装置は軸１３０を有し、各クランク１４の一端は軸に連接され、他端は支持棒１５の先端に連接され、支持棒１５の後端にはスライド部１５２を有し、例えばローラー１５２を有し、台座１０１のレール１０１２に当接される。このほか、各支持棒１５は１つのペダル１６に連接される支持部１５４を有し、且つ支持部１５４は連接棒１２の部位に枢接される。上述の構造により、クランク１４が軸１３０の周りを回転し、ペダル１６の運動軌跡Ｐは楕円或いは楕円に近似する軌跡になり、且つ支持棒１５のスライド部１５２はレール１０１２で往復運動を行う。
【００１７】
以下、本考案の実施形態について説明する。各クランク１４は調整構造を有し、クランク１４の長さの調整に使用され、ペダル１６の運動軌跡Ｐを改変させる。
【００１８】
図２から図４は楕円形の訓練用具１の部分の拡大図で、楕円形の訓練用具の調整構造１７を示す図である。図２乃至図４に示すように、調整構造１７はモーター１７０、スクリュー１７２、及び駆動部１７４を備える。モーター１７０によりスクリュー１７２が駆動されて回転し、駆動部１７４はスクリュー１７２に噛合される内ねじ山（図示せず）を有する。これにより、モーター１７０によりスクリュー１７２が駆動されて回転すると、駆動部１７４がスクリュー１７２に沿ってモーター１７０に離れる方向或いは接近する方向に移動する。
【００１９】
また、各クランク１４は凹部１４０を有し、駆動部１７４の一部分が凹部１４０内まで延伸され、且つ支持棒１５の先端１５０及び駆動部１７４は凹部１４０内まで延伸される部分が軸１７４０に枢接される（図２乃至図４参照）。
【００２０】
モーター１７０によりスクリュー１７２が駆動されて回転すると、駆動部１７４がモーター１７０から離れる方向に移動し（図３参照）、クランク１４の長さを相当に増やしてペダル１６の楕円運動軌跡Ｐを大きくさせる。即ち、楕円軌跡Ｐの長軸（ｍａｊｏｒ  ａｘｉｓ、ａとａとの距離）及び短軸（ｍｉｎｏｒ  ａｘｉｓ、ｂとｂとの距離）を長くする。
【００２１】
図４に示すように、モーター１７０によりスクリュー１７２が駆動されて回転すると、駆動部１７４がモーター１７０に接近する方向に移動し、クランク１４の長さを相当に減らして、ペダル１６の楕円運動軌跡Ｐを小さくさせる。即ち、楕円軌跡Ｐの長軸（ｍａｊｏｒ  ａｘｉｓ）及び短軸（ｍｉｎｏｒ  ａｘｉｓ）を短くする。
【００２２】
従来の技術には見られないが、本考案の実施形態では各クランク１４にモーター１７０が装設され、クランク１４の有効な長さの調整に使用される。しかしながら、モーター１７０の電力供給は克服せねばならない難題である。クランク１４が軸１３０の周りを回転するため、従来の電力配線方式は利用不可能である。
【００２３】
本実施態様における楕円形の訓練用具は、抵抗装置１３の両側にそれぞれ位置されるか、抵抗装置１３の同側に位置される（本実施態様では）２つの導電性リング１８を更に備え（図３及び図４参照）、抵抗装置１３の軸１３０に同軸に連接される。これにより、導電性リング１８が１３０に追随して共に回転する。
導電性リング１８は第一極性リング１８０及び第二極性リング１８２を有し、例えば正極リング１８０及び負極リング１８２を有し、これらは金属或いは導電材質で製造されると共に楕円形の訓練用具１の供給電源に電気的に接続される。
【００２４】
図５及び図６は導電性リング１８とモーター１７０の電気的接続を示す。モーター１７０は連接部材１８４の２つの導電部材１８６により導電性リング１８の第一極性リング１８０及び第二極性リング１８２に電気的に接続され、２つの導電部材１８６はモーター１７０に電気的に接続される（図５及び図６参照）。よって、上述の構造により、モーター１７０の電気的接続の問題を解決させる。
【００２５】
結論として、本考案では運動軌跡を改変可能な楕円形の訓練用具を提供する。各クランクに設置される調整構造によりクランクの有効な長さを調整させ、ペダルの運動軌跡を改変させる。
【００２６】
従って、本明細書に開示された実施例は、本考案を限定するものではなく、説明するためのものであり、このような実施例によって本考案の思想と範囲が限定されるものではない。本考案の範囲は請求の範囲により解釈すべきであり、それと同等の範囲内にある全ての技術は、本考案の権利範囲に含まれるものと解釈すべきである。
【符号の説明】
【００２７】
１        楕円形の訓練用具
１０      骨組み
１１      スイングアーム
１２      連接棒
１３      抵抗装置
１４      クランク
１５      支持棒
１６      ペダル
１７      調整構造
１８      導電性リング
１０１    台座
１０２    本体
１０３    直立管
１１０    枢転部
１１２    把持部
１３０    軸
１４０    凹部
１５０    先端
１５２    スライド部
１５４    支持部
１７０    モーター
１７２    スクリュー
１７４    駆動部
１８０    第一極性リング
１８２    第二級性環
１８４    連接部材
１８６    導電部材
１０１２  レール
１７４０  軸
Ｐ        運動軌跡
【図１】
0003198174.tif 000003
【図２】
0003198174.tif 000004
【図３】
0003198174.tif 000005
【図４】
0003198174.tif 000006
【図５】
0003198174.tif 000007
【図６】
0003198174.tif 000008